(57)【要約】【課題】孔の目ズレを生じさせることなく、開孔率の低下を防いで通気性を保ち、かつ防虫効果を高めることができる防虫ネットを提供する。【解決手段】防虫ネット１０は農作物を栽培するネットハウス１を構成するものである。防虫ネット１０は樹脂製のフィルム基材１１を備え、フィルム基材１１に多数の孔１２が開孔されている。フィルム基材１１を開孔することにより孔１２が形成されているので、縦糸と横糸を折り込んで孔を形成する場合に比べて使用中に孔１２に目ズレが生じることはない。【選択図】図２
2012139208.tif 000002
【特許請求の範囲】
【請求項１】
フィルム基材に複数の孔が設けられた平板状ネット部材を備える
ことを特徴とする防虫ネット。
【請求項２】
フィルム基材は樹脂フィルムであることを特徴とする請求項１記載の防虫ネット。
【請求項３】
複数の孔はネット部材に第１の方向に第１ピッチで直線上に並んで配置され、かつ第１の方向に直交する第２の方向に第１ピッチと同一長の第２ピッチで直線上に並んで配置されていることを特徴とする請求項１または２記載の防虫ネット。
【請求項４】
複数の孔は、隣接する２つの孔の中心間の距離が同一となるよう配置されていることを特徴とする請求項１または２のいずれか記載の防虫ネット。
【請求項５】
各孔は円形形状をもつことを特徴とする請求項１乃至４のいずれか記載の防虫ネット。
【請求項６】
各孔は正六角形形状をもち、互いに同一方向を向くことを特徴とする請求項１乃至４のいずれか記載の防虫ネット。
【請求項７】
複数の孔を含むネット部材は、山形状の断面形状をもつことを特徴とする請求項１乃至６のいずれか記載の防虫ネット。
【請求項８】
複数の孔を含むネット部材に取付けられた補強材を更に備え、
補強材は複数の孔より大きな形状の開口を有するフレーム材からなることを特徴とする請求項１乃至７のいずれか記載の防虫ネット。
【請求項９】
フィルム基材に複数の孔が設けられたネット部材と、
ネット部材に連接する密閉部材とを備え、
ネット部材と密閉部材は同一のフィルム基材からなる
ことを特徴とするネットハウス用資材。
【発明の詳細な説明】
【技術分野】
【０００１】
本発明は、害虫が侵入するのを防止することができる農業分野で用いられる防虫ネットおよびネットハウス用資材に関する。
【背景技術】
【０００２】
従来、農業分野で使用される防虫ネットは、縦糸と横糸とを略同一の間隔でネット状に織って形成したネットからなっている。この防虫ネットは、縦糸および横糸を織ることにより形成された多数の孔を含む。
【０００３】
しかしながら、防虫効果を高めるために孔を小さくしようとする場合に、孔を小さくする前の防虫ネットの通気性を維持するために、小さい孔を数多く形成する必要が生じる。小さい孔を数多く形成するためには縦糸と横糸の幅（太さ）を小さくする必要があるが、この場合は縦糸および横糸の強度が低下するため防虫ネット全体の機械的強度が低下し、防虫ネットが部分的に破損することも考えられる。
【先行技術文献】
【特許文献】
【０００４】
【特許文献１】特開２００２−１２９８５４号公報
【発明の概要】
【発明が解決しようとする課題】
【０００５】
本発明はこのような点を考慮してなされたものであり、通気性および機械的強度を低下させることなく、防虫効果を向上させることができる防虫ネットおよびネットハウス用資材を提供することを目的とする。
【課題を解決するための手段】
【０００６】
本発明は、フィルム基材に複数の孔が設けられた平板状ネット部材を備えることを特徴とする防虫ネットである。
【０００７】
本発明は、フィルム基材は樹脂フィルムであることを特徴とする防虫ネットである。
【０００８】
本発明は、複数の孔はネット部材に第１の方向に第１ピッチで直線上に並んで配置され、かつ第１の方向に直交する第２の方向に第１ピッチと同一長の第２ピッチで直線上に並んで配置されていることを特徴とする防虫ネットである。
【０００９】
本発明は、複数の孔は、隣接する２つの孔の中心間の距離が同一となるよう配置されていることを特徴とする防虫ネットである。
【００１０】
本発明は、各孔は円形形状をもつことを特徴とする防虫ネットである。
【００１１】
本発明は、各孔は正六角形形状をもち、互いに同一方向を向くことを特徴とする防虫ネットである。
【００１２】
本発明は、複数の孔を含むネット部材は、山形状の断面形状をもつことを特徴とする防虫ネットである。
【００１３】
本発明は、複数の孔を含むネット部材に取付けられた補強材を更に備え、補強材は複数の孔より大きな形状の開口を有するフレーム材からなることを特徴とする防虫ネットである。
【００１４】
本発明は、フィルム基材に複数の孔が設けられたネット部材と、ネット部材に連接する密閉部材とを備え、ネット部材と密閉部材は同一のフィルム基材からなることを特徴とするネットハウス用資材である。
【発明の効果】
【００１５】
以上のように本発明によれば、防虫ネットのネット部材はフィルム基材に対し、多数の孔を開孔することにより得られるので、縦糸と横糸を織ることにより防虫ネットを作製する場合に比べて、通気性および機械的強度を低下させることなく、防虫効果を向上させることができる防虫ネットおよびネットハウス用資材を提供することが可能となる。
【図面の簡単な説明】
【００１６】
【図１】図１は、本発明の実施の形態におけるネットハウスを示す斜視図。
【図２】図２は防虫ネットを示す拡大図。
【図３】図３（ａ）（ｂ）（ｃ）は、防虫ネットの変形例を示す図。
【図４】図４（ａ）（ｂ）は、防虫ネットの他の変形例を示す図。
【図５】図５は、防虫ネットの他の変形例を示す図。
【図６】図６（ａ）（ｂ）は、防虫ネットの他の変形例を示す図。
【図７】図７（ａ）（ｂ）（ｃ）は、防虫ネットの他の変形例を示す図。
【図８】図８（ａ）（ｂ）（ｃ）は、防虫ネットの他の変形例を示す図。
【図９】図９（ａ）（ｂ）は、比較例としての防虫ネットを示す図。
【発明を実施するための形態】
【００１７】
発明の実施の形態
図１および図２により本発明の実施の形態について説明する。
【００１８】
このうち図１はネットハウスを示す斜視図であり、図２は防虫ネット示す拡大図である。
【００１９】
図１および図２において、例えば野菜や果物等の農作物を栽培するネットハウス１が示されている。このネットハウス１は基本パイプ２と、基本パイプ２に取付けられ後述する防虫ネット１０を有するネットハウス用資材１０Ａを備えている。
【００２０】
このうち、ネットハウス用資材１０Ａは、多数の孔１２を含む防虫ネット１０と、この防虫ネット１０の下方に位置する下方密閉部材５ａと、防虫ネット１０の上方に位置する上部密閉部材５ｂとを有している。
【００２１】
この場合、下部密閉部材５ａ、防虫ネット１０および上部密閉部材５ｂは、いずれも一体成形されたフィルム基材１１からなっている。下部密閉部材５ａおよび上部密閉部材５ｂは、一体成形されたフィルム基材１１のうち何ら加工を加えることなく形成された密閉性を有する領域からなり、防虫ネット１０はフィルム基材１１に対して多数の孔１２を開孔することにより得られた通気性を有する領域からなる。
【００２２】
また、ネットハウス１の側面には、側方へ突出する箱形部４を形成する追加パイプ３が設けられ、この追加パイプ３には箱形部４の上面および側面を形成する紫外線除去フィルム６が取付けられている。
【００２３】
また追加パイプ３には、箱形部４の正面を形成する追加防虫ネット１０Ｂが取付けられており、この追加防虫ネット１０Ｂは上述した防虫ネット１０と同様の構成を有し、フィルム基材１１に対して多数の孔１２を開孔することにより得られる。
【００２４】
次に防虫ネット１０について、以下詳述する。
【００２５】
防虫ネット１０は、多数の孔１２を有するフィルム基材（ネット部材）１１を備えている。
【００２６】
この場合、多数の孔１２を有するフィルム基材１１は、フィルム基材１１を準備し、このフィルム基材１１に対してパンチング加工、打ち抜き加工、エッチング加工を施すことによって、正六角形状の多数の孔１２を開孔することにより得られ、フィルム基材１１は孔１２の周囲に線状に残る。
【００２７】
この場合、孔１２の最大長さは０．４ｍｍ、線状に残るフィルム基材１１の幅は０．１ｍｍとなっており、各孔１２の中心１２ａ間の距離ｌは等しくなっている。
【００２８】
フィルム基材１１としては樹脂製の樹脂フィルムまたは樹脂薄板（以下、「樹脂フィルム」と言う）あるいは金属フィルムまたは金属薄板（以下、「金属フィルム」と言う）を用いることができ、いずれの場合も樹脂フィルムあるいは金属フィルムに対してパンチング加工、打ち抜き加工、エッチング加工を施すことによって、多数の孔１２を開孔することができる。
【００２９】
このようにフィルム基材１１を準備し、フィルム基材１１に対してパンチング加工、打ち抜き加工、エッチング加工を施して多数の孔１２を有するフィルム基材１１が得られるので、フィルム基材１１の表面を平滑に保つことができる。また防虫ネット１０に孔１２の目ズレが生じることはない。すなわち、例えば樹脂製の縦糸３１ａと樹脂製の横糸３１ｂを織ることにより孔３２を有する防虫ネット３０を作製する場合（図９（ａ））、使用に際して孔３２の目ズレが生じることも考えられ、防虫効果を高めるために孔３２の開孔面積を小さくしようとする場合に、目ズレは大きな問題となるが、本発明によれば、フィルム基材１１を開孔することにより孔１２が形成されるので、孔１２の目ズレが生じることはない。
【００３０】
さらに言えば、上述した目ズレが生じることを防止するために樹脂製の縦糸３１ａと樹脂製の横糸３１ｂとを融着させて孔３２を有する防虫ネット３０を作製する場合（図９（ｂ））、この融着部３３が膨らんで孔３２の開口面積が減少することも考えられるが、本発明によれば、防虫ネット３０はこのような融着部３３をもたないので開孔面積が減少することもない。
【００３１】
（フィルム基材１１）
次にフィルム基材１１の材料について述べる。このうち、フィルム基材１１としては以下のような材料を利用することができる。
【００３２】
フィルム基材１１としては、ポリプロピレン、ポリエステル、ポリエチレン、ポリビニルアルコール、ビニロン、ナイロン、ポリオレフィンなどの樹脂フィルムを用いることができる。
【００３３】
このような樹脂フィルムは、透光性があり植物成育のための採光を妨げることはない。また、透光性を絞ってネットハウス１内部の温度上昇を防ぐ場合は、酸化チタンなどを混ぜた樹脂フィルムを用いることができる。この場合、酸化チタン等を混ぜる割合を自由に調整し、透光性を制御できる。
【００３４】
また樹脂フィルムを発泡させ、フィルム基材１１に保温性能を付与するなどの機能付加を施してもよい。
【００３５】
なお、樹脂フィルムは複数材料を積層した多層フィルムからなっていてもよく、引っ張りに強いポリエチレンと突き刺しに強いナイロンを積層したフィルムを利用し、引っ張り、突き刺し共に強いフィルムを利用することができる。
【００３６】
さらにフィルム基材１１として金属フィルムを用いてもよい。この場合、金属フィルムとしてアルミ板、ステンレス板、銅板などを利用することができる。金属フィルムの表面は金属光沢があるため、虫に対する忌避効果が期待できる。また金属フィルムは数年間の経年変化による伸びや縮みも樹脂フィルムより少ない。
【００３７】
さらにまたフィルム基材１１として、切断された場合に切断面が毛羽立つ材料を用いてもよい。
【００３８】
このようにフィルム基材１１が切断時に毛羽立つことにより、孔１２内に毛羽立った微細毛を形成することができ、孔１２の防虫効果を高めることができる。
【００３９】
なお、このような切断面が毛羽立つ材料としては、ポリエチレンを延伸させたスズランテープが考えられる。
【００４０】
またフィルム基材１１表面に、虫を殺虫するための防虫剤を混入した粘着剤を塗布してもよい。
【００４１】
（粘着剤）
まず防虫剤を混入した粘着剤としては、アクリル系粘着剤、ゴム系粘着剤、シリコーン系粘着剤などを用いることができるが、これらの中で、粘着性能の点からアクリル系粘着剤が好ましく、特にアクリル系二液架橋型粘着剤が好適である。
【００４２】
また粘着剤としては、天然ゴム系樹脂、エチレン−酢酸ビニル共重合体、スチレン−ブタジエン共重合体、スチレン−イソプレン共重合体、シリコン系共重合体、アクリル酸エステル共重合体、メタクリル酸エステル共重合体、ポリアクリル酸、ポリアクリルアミド、ポリビニルピロリドン、マレイン酸およびその無水物の共重合体、ポリエチレンイミン、メラミン樹脂、尿素樹脂が利用できる。
【００４３】
さらに粘着剤としては、従来の捕虫シートと同様のものでよく、フッ素樹脂系、ケイ素樹脂系、ウレタン樹脂系、アクリル樹脂系のどれかが好ましい。また、ポリブテン系のものも用いられる。
【００４４】
また粘着剤としては、分子量が１万〜５０万、且つ不飽和度が５モル％以下の高分子エラストマーと、分子量１００〜１万の軟化剤とからなる粘着剤組成物を用いてもよい。
【００４５】
高分子エラストマーとしては、ポリイソブチレンゴム、ブチルゴム、ニトリルゴム、スチレン−ブタジエンゴム、スチレン−エチレン・プロピレン−スチレンゴム、アクリルゴム等から選ばれた少なくとも一種がこの発明では特に限定されることなく好適に使用できる。特にポリイソブチレンゴムとブチルゴムは後述する軟化剤との相溶性が適度であり、飛翔害虫に対して優れた捕獲能力を示すのでより好ましく使用される。また、２００〜８００ｎｍにおける波長透過率が９０％以上の無色透明、白色又は淡黄色の色調を有する高分子エラストマーを使用すると、シート、フィルム等からなる粘着剤基材の色相を著しく阻害しないため、色に対する害虫の習性を利用した積極的な誘引を行うことができる。
【００４６】
軟化剤としては液状ポリイソプレン、液状ポリブタジエン、ポリブデン、液状ポリイソブチレン等の中から選ばれた少なくとも一種が限定されることなく好適に使用される。
【００４７】
（防虫剤）
防虫剤としては、ペルメトリン、デルタメストリン等のピレスロイド化合物；クロチアニジン、ジノテフラン等のネオニコチノイド化合物；フィプロニル、エチプロール等のアリールピラゾール化合物；フェノカルブ、メトキシジアゾン等のカーバメート化合物；フェニトロチオン等の有機リン化合物があげられる。
【００４８】
また防虫剤として、ペルメトリン、シペルメトリン、シフェノトリン、ｄ−フェノトリン、レスメトリン、ｄ−レスメトリン、フェンバレレート、エスフェンバレレート、エスビオトリン、フェンプロパトリン、エトフェンプロックス、トラロメトリン、デルタメトリン、シラフルオフェン、シフルトリン、ビフェントリン、アレスリン、ｄ−アレスリン、ピレトリン、テトラメスリン、トランスフルトリン、メトフルトリン、ジメフルトリン、プロフルトリン等を用いることができる。
【００４９】
図１および図２において、フィルム基材１１に対して多数の開孔を形成することにより多数の孔１２を有するフィルム基材１１が得られるので、縦糸と横糸を織ることにより孔を有する防虫ネットを作製する場合に比べて孔１２の目ズレが生じることはなく、かつ縦糸と横糸を融着させる場合に比べて開孔面積が減少することはない。
【００５０】
このようにフィルム基材１１の孔１２に目ズレが生じることはないので、防虫ネット１０の防虫効果を高めることができ、また孔１２の開孔面積が減少することはないので、防虫ネット１０の通気性を維持することができる。
【００５１】
本発明の変形例
次に図３（ａ）（ｂ）（ｃ）乃至図８（ａ）（ｂ）（ｃ）により本発明の変形例について説明する。図３（ａ）（ｂ）（ｃ）乃至図８（ａ）（ｂ）（ｃ）に示す変形例において、図１および図２に示す実施の形態と同一部分には同一符号を付して詳細な説明は省略する。
【００５２】
まず図３（ａ）（ｂ）（ｃ）に示す変形例において、図３（ａ）は孔の中心の配置を示す仮想的な防虫ネットを示す図であり、図３（ｂ）および図３（ｃ）は防虫ネットの孔の形状を示す図である。
【００５３】
図３（ａ）（ｂ）（ｃ）に示すように、防虫ネット１０はフィルム基材１１を備え、フィルム基材１１に多数の孔１２が開孔されている。多数の孔１２は縦方向に第１ピッチＰ１で等しい間隔で直線上に配置され、横方向に第１ピッチＰ１と同一長の第２ピッチＰ２で等しい間隔で直線上に配置されている。
【００５４】
図３（ａ）に示すように、縦方向の孔１２の間隔、すなわち第１ピッチＰ１は、孔１２の中心１２ａ間の縦方向の間隔であり、横方向の孔１２の間隔、すなわち第２ピッチＰ２は孔１２の中心１２ａ間の横方向の間隔となる。なお、図３（ａ）は上述のように、孔１２の中心１２ａ間の間隔を示す仮想的な防虫ネットの平面図である。
【００５５】
図３（ｂ）に示すように、多数の孔１２が縦方向に第１ピッチＰ１で等しい間隔で直線上に配置され、横方向に第２ピッチＰ２で等しい間隔で直線上に配置される限り、孔１２の形状は正方形状でも良い（図３（ｂ））。また孔１２の形状を円形としてもよい（図３（ｃ））。
【００５６】
図３（ａ）（ｂ）（ｃ）に示す変形例において、孔１２は縦方向に第１ピッチＰ１で等間隔に直線上に形成され、横方向に第１ピッチＰ１と同一長の第２ピッチＰ２で等間隔に直線上に形成されているため、フィルム基材１１に対して孔を開孔する作業を容易かつ確実に行なうことができる。
【００５７】
次に図４（ａ）（ｂ）により、本発明の他の変形例について説明する。ここで図４（ａ）は孔の中心の配置を示す仮想的な防虫ネットを示す図であり、図４（ｂ）は防虫ネットの孔の形状を示す図である。
【００５８】
図４（ａ）（ｂ）に示すように、防虫ネット１０はフィルム基材１１を備え、フィルム基材１１に多数の孔１２が開孔されている。
【００５９】
図４（ａ）に示すように、多数の孔１２はいずれかの隣接する２つの孔１２の中心１２ａ間の距離ｌが常に同一となるよう配置されている。
【００６０】
このように、いずれかの隣接する２つの孔１２の中心１２ａ間の距離ｌが同一である限り、孔１２の形状は円形となっていてもよい（図４（ｂ））。
【００６１】
なお、図４（ａ）は上述のように、孔１２の中心１２ａ間の距離の関係を示す仮想的な防虫ネットの平面図である。
【００６２】
また図４（ｂ）において、いずれかの隣接する２つの孔１２の中心１２ａ間の距離ｌが同一であって、かつ孔１２の形状が円形となる例を示したが、いずれかの隣接する２つの孔１２の中心１２ａ間の距離ｌが同一である限り、孔１２の形状を正六角形としてもよく、ひょうたん形としても良く、楕円形としてもよく、さらに円形の孔１２と、正六角形の孔１２と、楕円形の孔１２を組合せて配置してもよい。
【００６３】
例えば防虫ネット１０のうち、作業者近傍の領域では通気性の高い正六角形状の孔１２を設け、通気性が求められない領域では円形の孔１２を設けてもよい。
【００６４】
このようにいずれかの隣接する２つの孔１２の中心１２ａ間の距離ｌを同一とすることにより、例えば孔１２の形状を正六角形として、孔１２の開孔面積の増加を図ることができる。
【００６５】
次に図５により、本発明の更なる変形例について述べる。
【００６６】
図５に示すように、防虫ネット１０はフィルム基材１１を備え、フィルム基材１１に多数の孔１２が開孔されている。また孔１２は円形形状を有している。
【００６７】
またフィルム基材１１の各孔１２の形状は互いに等しくなっているが、単位面積当たりの孔１２の個数はフィルム基材１１の領域によって変えている。
【００６８】
このように単位面積当たりの孔１２の個数をフィルム基材１１の領域毎に変えることによって、防虫ネット１０の通気性を領域毎に変えることができる。
【００６９】
また各孔１２は円形形状を有するため、孔１２に汚れが付着しにくくなっており、たとえ孔１２に汚れが付着しても清掃が容易となっている。
【００７０】
さらに図６（ａ）（ｂ）により、本発明の他の変形例について説明する。
【００７１】
図６（ａ）に示すように、防虫ネット１０はフィルム基材１１を備え、フィルム基材１１に多数の孔１２が開孔されている。各孔１２は同一形状の正六角形状をもつ。この場合、図６（ａ）に示すように、単位面積当たりの孔１２の個数をフィルム基材１１の全領域で同一とすることにより、防虫ネット１０の通気性を均一化させることができる。
【００７２】
また図６（ｂ）に示すように、各孔１２が同一形状の正六角形状をもち、かつ単位面積当たりの孔１２の個数をフィルム基材の領域毎に変えることによって、防虫ネット１０の通気性を領域毎に変えることができる。
【００７３】
次に図７（ａ）（ｂ）（ｃ）により、本発明の他の変形例について説明する。
【００７４】
図７（ａ）（ｂ）に示すように、防虫ネット１０はフィルム基材１１を備え、フィルム基材１１に多数の孔１２が開孔されている。
【００７５】
また多数の孔１２を含むフィルム基材１１は山形状の断面形状をもっている。図７（ａ）（ｂ）において、フィルム基材１１が樹脂フィルムからなる場合、あるいは金属フィルムからなる場合、いずれの場合においてもフィルム基材１１を図示しないプレス機により賦形化させることにより、フィルム基材１１に山形状の断面形状をもたせることができる。
【００７６】
このようにフィルム基材１１が山形状の断面形状をもつことにより、防虫ネット１０を正面からみた場合に、単位面積当たりの孔１２の個数を増大させることができ、単位面積内のいずれかの孔が機能しなくなった場合においても、その影響を小さくさせることができる。
【００７７】
なお、防虫ネット１０のフィルム基材１１が山形状の断面を安定してもつことができるよう、孔１２を有するフィルム基材１１の表面に孔１２の形状より大きな形状をもつ開口１６ａを有する表面側補強材１５ａを取付けるとともに、フィルム基材１１の裏面に孔１２の形状より大きな形状をもつ開口１６ｂを有する裏面側補強材１５ｂを取付けてもよい。
【００７８】
次に図８（ａ）（ｂ）（ｃ）により、本発明の他の変形例について説明する。
【００７９】
図８（ａ）に示すように、防虫ネット１０は開孔された多数の孔１２を含むフィルム基材１１と、このフィルム基材１１表面に取付けられこのフィルム基材１１を補強する補強材１７とを備えている。
【００８０】
また補強材１７はフィルム基材１１に形成された開孔１２の形状よりかなり大きな形状の多数の開口１８を有するフレーム材からなっており、このため図８（ａ）においてフィルム基材１１の孔１２は省略されている。
【００８１】
例えば、図８（ａ）において、補強材１７の開口１８が、縦２０ｃｍ×横１０ｃｍの長方形の形状を有しており、フィルム基材１１の孔１２の最大長は０．４ｍｍとなっている。このため、図８（ａ）において、フィルム基材１１の孔１２は示されていない。
【００８２】
ところで、フィルム基材１１が樹脂フィルムからなり、補強材１７が金属材からなる場合、フィルム基材１１と補強材１７を接着剤で接着させることができる。
【００８３】
またフィルム基材１１が樹脂フィルムからなり、補強材１７が樹脂材からなる場合、フィルム基材１１と補強材１７を熱プレスにより溶着することができる。
【００８４】
なお、防虫ネット１０の基材フィルム１１の全域に補強材１７を設ける必要はなく、基材フィルム１１のうち、重量がかかる上方部分、あるいは風が当たる部分のみに補強材１７を設けてもよい。
【００８５】
さらに図８（ａ）において、防虫ネット１０の補強材１７が長方形の開口１８をもつフレーム材から構成されているが、補強材１７を正六角形の多数の開口１８をもつフレーム材から構成してもよい（図８（ｂ）参照）。
【００８６】
あるいは防虫ネットの補強材１７を三角形状の多数の開口１８をもつフレーム材から構成してもよい（図８（ｃ）参照）。
【符号の説明】
【００８７】
１  ネットハウス
２  基本パイプ
３  追加パイプ
４  箱形部
１０  防虫ネット
１０Ａ  ネットハウス用資材
１０Ｂ  追加防虫ネット
１１  フィルム基材
１２  孔
１２ａ  孔の中心
１５ａ  表面側補強材
１６ｂ  裏面側補強材
１７  補強材
１８  開口
【図１】
2012139208.tif 000003
【図２】
2012139208.tif 000004
【図３】
2012139208.tif 000005
【図４】
2012139208.tif 000006
【図５】
2012139208.tif 000007
【図６】
2012139208.tif 000008
【図７】
2012139208.tif 000009
【図８】
2012139208.tif 000010
【図９】
2012139208.tif 000011